(57)【要約】【課題】運転中又は停車中であっても、チャイルドシートの日除けカバーの展開及び折り畳み動作を自動で行うことができる日除け付きチャイルドシートおよびその制御システムを提供する。【解決手段】本発明の日除け付きチャイルドシート１０は、チャイルドシート本体１２と、前記チャイルドシート本体１２の背部頂部から座部先端までを覆う展開及び折り畳み可能な日除けカバー２０と、前記日除けカバー２０の駆動手段３０と、前記日除けカバー２０の展開及び折り畳みの起点となる情報を取得可能な検知手段４０と、前記検知手段４０と前記駆動手段３０と電気的に接続して前記検知手段４０の測定値に基づいて、前記日除けカバー２０の展開及び折り畳み動作の制御信号を前記駆動手段３０に送信可能な制御手段５０と、を備えたことを特徴としている。【選択図】図１
2017081397.tif 000002
【特許請求の範囲】
【請求項１】
チャイルドシート本体と、
前記チャイルドシート本体に取り付けられた日除けカバーと、
前記日除けカバーの駆動手段と、
前記日除けカバーの展開及び折り畳みの起点となる情報を取得可能な検知手段と、
前記検知手段と前記駆動手段と電気的に接続して前記検知手段の測定値に基づいて、前記日除けカバーの展開及び折り畳み動作の制御信号を前記駆動手段に送信可能な制御手段と、
を備えたことを特徴とする日除け付きチャイルドシート。
【請求項２】
前記検知手段は、前記日除けカバーに少なくとも１つ以上備え、前記日除けカバーの照度を計測可能としたことを特徴とする請求項１に記載の日除け付きチャイルドシート。
【請求項３】
前記日除けカバーは、前記チャイルドシート本体の左右で二分割させて個別に展開及び折り畳み可能なことを特徴とする請求項１又は２に記載の日除け付きチャイルドシート。
【請求項４】
前記日除けカバーを前記チャイルドシート本体から着脱可能としたことを特徴とする請求項１ないし３のいずれか１項に記載の日除け付きチャイルドシート。
【請求項５】
請求項１ないし４に記載の日除け付きチャイルドシートと、
前記制御手段へ実行信号を送信可能な操作手段と、
を備えたことを特徴とする日除け付きチャイルドシートの制御システム。
【請求項６】
前記検知手段は、少なくとも前記日除けカバーの展開状態もしくは前記チャイルドシート本体への日光の照射状態のいずれかを検知可能とし、検知信号を状態信号として前記操作手段へ送信可能とし、
前記操作手段は、前記状態信号を受信して、少なくとも前記日除けカバーの展開状態もしくは前記チャイルドシート本体への日光の照射状態のいずれかを表示可能な表示部を備えたことを特徴とする請求項５に記載の日除け付きチャイルドシートの制御システム。
【発明の詳細な説明】
【技術分野】
【０００１】
本発明は、特に車両の窓ガラスを通してチャイルドシートの前面に照射される日光、又は停車中の日光による過熱を防止する日除け付きチャイルドシートおよびその制御システムに関する。
【背景技術】
【０００２】
従来、乳幼児を車両に乗車させる場合に使用されるチャイルドシートに、車両の窓ガラスを通してチャイルドシートの前面に直接照射される日光、又は停車中に照射された日光による過熱を防止する日除けを備えたチャイルドシートが利用されている。
【０００３】
一例として特許文献１に開示のチャイルドシートは、シート本体と、シート本体を支持する基台とからなるチャイルドシートにおいて、シート本体に折り畳み及び展開可能に軸支された日除け兼遮光カバーを備えている。この日除け兼遮光カバーでチャイルドシートの背部頂部から座部先端までを覆えるようにしている。
【０００４】
このような日除け付きチャイルドシートによれば、乗車中に日光が窓ガラスなどを通してチャイルドシートの前面を照射するときは、日除けカバーを半分展開して日陰にすることができる。また停車して車両を離れるときには、遮光カバーで背部頂部から前面先端までを覆うことにより日光による過熱を防止することができる。
【先行技術文献】
【特許文献】
【０００５】
【特許文献１】特開２００２−１０４０３２号公報
【発明の概要】
【発明が解決しようとする課題】
【０００６】
しかしながら、特許文献１のような従来の日除け付きチャイルドシートは、搭乗者が手動で日除けカバーの展開及び折り畳み動作を行う構成のため、搭乗者が乳幼児と運転手のみの場合、運転中にチャイルドシートに日光が照射されると、運転手が乳幼児に気を取られて運転に集中できず、安全性を確保できないおそれがあった。
また停車中に日除けカバーの展開動作を忘れて、車両を離れて再度乗車する際に、チャイルドシートが過熱されて乳幼児をすぐに着座させることができないことがあった。
【０００７】
上記従来技術の問題点に鑑み、本発明は、運転中又は停車中であっても、チャイルドシートの日除けカバーの展開及び折り畳み動作を自動で行うことができる日除け付きチャイルドシートおよびその制御システムを提供することを目的としている。
【課題を解決するための手段】
【０００８】
上記課題を解決するための第１の手段として、本発明は、チャイルドシート本体と、前記チャイルドシート本体に取り付けられた日除けカバーと、前記日除けカバーの駆動手段と、前記日除けカバーの展開及び折り畳みの起点となる情報を取得可能な検知手段と、前記検知手段と前記駆動手段と電気的に接続して前記検知手段の測定値に基づいて、前記日除けカバーの展開及び折り畳み動作の制御信号を前記駆動手段に送信可能な制御手段と、を備えたことを特徴とする日除け付きチャイルドシートを提供することにある。
【０００９】
上記課題を解決するための第２の手段として、本発明は、前記第１の手段において、前記検知手段は、前記日除けカバーに少なくとも１つ以上備え、前記日除けカバーの照度を計測可能としたことを特徴とする日除け付きチャイルドシートを提供することを目的としている。
【００１０】
上記課題を解決するための第３の手段として、本発明は、前記第１又は第２の手段において、前記日除けカバーは、前記チャイルドシート本体の左右で二分割させて個別に展開及び折り畳み可能なことを特徴とする日除け付きチャイルドシートを提供することを目的としている。
【００１１】
上記の課題を解決するための第４の手段として、本発明は、前記第１ないし第３のいずれか１の手段において、前記日除けカバーを前記チャイルドシート本体から着脱可能としたことを特徴とする日除け付きチャイルドシートを提供することを目的としている。
【００１２】
上記課題を解決するための第５の手段として、本発明は、前記第１ないし第４の手段の日除け付きチャイルドシートと、前記制御手段へ実行信号を送信可能な操作手段と、を備えたことを特徴とする日除け付きチャイルドシートの制御システムを提供することを目的としている。
【００１３】
上記課題を解決するための第６の手段として、本発明は、前記第５の手段において、前記検知手段は、少なくとも前記日除けカバーの展開状態もしくは前記チャイルドシート本体への日光の照射状態のいずれかを検知可能とし、検知信号を状態信号として前記操作手段へ送信可能とし、前記操作手段は、前記状態信号を受信して、少なくとも前記日除けカバーの展開状態もしくは前記チャイルドシート本体への日光の照射状態のいずれかを表示可能な表示部を備えたことを特徴とする日除け付きチャイルドシートの制御システムを提供することを目的としている。
【発明の効果】
【００１４】
上記第１の手段によれば、運転中及び停車中であっても、日除けカバーの展開動作及び折り畳み動作を自動制御することができる。このため運転中の場合には、日差しが経時的に変化しても運転手がチャイルドシートの方を見る動作が必要なくなり、運転に集中して安全性を確保することができる。また、停車中に車両を離れた場合、チャイルドシートが日光によって過熱することがなくなり、再度の乗車時に乳幼児を直ちに着座させることができる。
【００１５】
上記第２の手段によれば、チャイルドシート本体に日光が照射されたときには日除けカバーの展開動作を、また日光が照射されていないときには日除けカバーの折り畳み動作を自動制御することができる。また運転中の日差しの経時的な変化に応じて日除けカバーの展開及び折り畳み動作を自動で制御することができる。
【００１６】
上記第３の手段によれば、チャイルドシート本体に日光が照射している部分のみ日除けを行うことができ、運転手側の日除けカバーを折り畳んで解放し、運転手がチャイルドシート内の乳幼児の様子を容易に確認することができる。
【００１７】
上記第４の手段によれば、日除けカバーのメンテナンスなどを取り外して容易に行うことができる。
【００１８】
上記第５の手段によれば、運転手が運転中に、チャイルドシート内の乳幼児を見ることなく、手元で日除けカバーの展開又は折り畳み動作の操作を行える。また、チャイルドシート本体へ照射される日光の有無に係わらず、乳幼児の様子を知る際に運転手が容易に日除けカバーを折り畳む動作を自動で行うことができる。
【００１９】
上記第６の手段によれば、運転手が運転中に、チャイルドシート内の乳幼児を見ることなく、手元で日除けカバーの展開又は折り畳みの状態、チャイルドシート本体に日光が照射しているか否かを確認、把握することができる。
【図面の簡単な説明】
【００２０】
【図１】本発明の日除け付きチャイルドシートの折り畳み時の構成概略図である。
【図２】本発明の日除け付きチャイルドシートの展開時の構成概略図である。
【図３】本発明の日除け付きチャイルドシートのブロック図である。
【図４】本発明の日除け付きチャイルドシートの制御システムの構成概略図である。
【図５】操作手段にウェアラブルコンピュータを用いた操作画面の説明図である。
【図６】操作手段に携帯端末を用いた操作画面の説明図である。
【図７】変形例の日除け付きチャイルドシートの構成概略図である。
【発明を実施するための形態】
【００２１】
本発明の日除け付きチャイルドシートおよびその制御システムの実施形態を添付の図面を参照しながら、以下詳細に説明する。
【００２２】
［日除け付きチャイルドシート１０］
図１は本発明の日除け付きチャイルドシートの折り畳み時の構成概略図である。図２は本発明の日除け付きチャイルドシートの展開時の構成概略図である。図３は本発明の日除け付きチャイルドシートのブロック図である。図示のように本発明の日除け付きチャイルドシート１０は、チャイルドシート本体１２と、日除けカバー２０と、駆動手段３０と、検知手段４０と、制御手段５０を主な基本構成としている。
【００２３】
チャイルドシート本体１２は、シート部１３と基台１４からなり、車両のシート上に取り付けることができる。
シート部１３は、背部１３ａと座部１３ｂからなる。背部１３ａは、乳幼児が着座した際に頭部を保護するヘッドレストと、肩ベルトを取り付けている。座部１３ｂは乳幼児が着座した際に腰部を固定する腰ベルトを取り付けている。肩ベルト及び腰ベルトは着脱金具を用いて着座した乳幼児に着脱自在に固定することができる。
基台１４は、シート部１３を所定位置（例えば背部１３ａが座席側又はフロントガラス側など）で着脱自在に固定してシートベルトを介して座席に固定することができる。
【００２４】
日除けカバー２０は、サポート部材２２と、カバー部材２４と、軸部から構成されている。
サポート部材２２は、シート部１３の両側面を間に挟むようなほぼＵ型の所定剛性を備えた部材である、サポート部材２２は、材質に所定強度を備えた金属、プラスチック樹脂などを用いることができる。サポート部材２２の両端は円形状に形成し開口を設けている。
カバー部材２４は、複数のサポート部材２２の間に跨って形成されている。カバー部材２４は材質に布、合成樹脂などを用い、耐紫外線、遮光性などの機能を備えている。
【００２５】
軸部は、サポート部材２２の両端の開口にシャフトを貫通させて、軸回りをサポート部材及びカバー部材が回転自在となるように構成している。そして軸部は、シート部１３の側部（背部１３ａと座部１３ｂの間付近）に設けた一対のソケット（雌部）に着脱自在に挿入可能なプラグ（雄部）を備えている。ソケット及びプラグは電気的に接続しており、さらにチャイルドシートの電源と電気的に接続している。
なお、日除けカバー２０および後述する駆動手段３０をシート部１３の両側面に対して着脱自在に構成しても良く、その場合は駆動手段３０から延在して形成された接続部をシート部１３の両側面に形成されたプラグに接続する構成が考えられる。この接続部およびプラグに夫々電気端子を設けることによって、両者を互いに電気的に接続することができる。
このような構成の日除けカバー２０は、サポート部材２２及びカバー部材２４が軸部の軸回りを回転自在に軸支されており、展開時にサポート部材２２が背部１３ａ頂部から座部１３ｂ前方へ移動するとカバー部材２４が引き出されてチャイルドシート本体１２を覆うことができる。また折り畳み時にサポート部材２２が座部１３ｂ前方から背部１３ａ頂部へ移動するとサポート部材２２及びカバー部材２４が背部１３ａ頂部の後方へ折り畳まれる。また、チャイルドシート本体１２から日除けカバー２０を容易に着脱して、メンテナンスなどを行うことができる。なお、日除けカバーの形態はこの他にも、背部頂部からフレキシブルなケーブルを介してチィルドシート本体の前面を覆う平面状のシートであってもよい。
【００２６】
駆動手段３０は、日除けカバー２０の展開及び折り畳み動作を行う駆動モータである。本実施形態の駆動手段３０は、日除けカバー２０の軸部と接続して軸部を軸回りに正逆回転させることにより、日除けカバー２０の展開及び折り畳みを行っている。また駆動手段３０は、軸部のプラグと電気的に接続させることにより、チャイルドシートの電源と接続することができる。
【００２７】
検知手段４０は、日除けカバー２０の展開及び折り畳み動作の起点（トリガー）となる情報を取得可能なセンサーである。
本実施形態の検知手段４０は、例えば、照度センサー４０１、日除けカバー位置センサー４０２、ＧＰＳセンサー４０３、方位センサー４０４、時計４０５、カメラ４０６、赤外線センサー４０７、音センサー４０８、インターネット４０９、ＯＢＤ（Ｏｎ−Ｂｏａｒｄ  Ｄｉａｇｎｏｓｔｉｃｓ）４１０などを適用することができる。
【００２８】
図１，２に示す検知手段４０は照度センサー４０１を用いている。照度センサー４０１は、センサ素子の受光面に入射した光を電流に変換して明るさを検知可能なセンサーである。図示の検知手段４０は、背部１３ａの頂部に１個（４０ａ）と、チャイルドシート本体１２に着座した乳幼児の顔とほぼ同じ高さとなる背部１３ａの側部の左右にそれぞれ２個（４０ｂ，４０ｃ）の合計３個取り付けている。そして検知手段４０は、日除けカバー２０を折り畳んだ状態で側部の検知手段４０ｂ，４０ｃのセンサ素子がチャイルドシート本体１２の正面を向く方向に取り付けられている。また、検知手段４０は、日除けカバー２０を展開状態で頂部の検知手段４０ａのセンサ素子がチャイルドシート本体１２の正面を向く方向に取り付けられている。
【００２９】
このような構成の検知手段４０（４０ａ，４０ｂ，４０ｃ）によれば、日除けカバー２０の折り畳み時において、側部の検知手段４０ｂ，４０ｃのいずれかでチャイルドシート本体１２に照射される日光を検知できる。また、日除けカバー２０の展開時において、頂部の検知手段４０ａでチャイルドシート本体１２に照射される日光を検知できる。なお、検知手段４０の構成は、この構成に限定されず、この他にも頂部に取り付けた１つの検知手段の少なくとも２面（折り畳み時の平面及び背面）にセンサ素子を配置する構成を採用することができる。また、頂部に取り付ける１つの検知手段は、両端を回転自在に頂部に軸支されており、ウェイトを備えた構成を採用することもできる。このような検知手段によれば、日除けカバーの展開及び折り畳み時に重力によって検知手段のセンサ素子が常に正面を向く姿勢を維持することができる。
【００３０】
日除けカバー位置センサー４０２は、展開又は折り畳みの日除けカバーの位置を測定可能なセンサーである。日除けカバー位置センサー４０２の構成は、例えば、チャイルドシート本体１２に設けたセンサー検出部と、日除けカバー２０に設けたセンサー移動体からなり、センサー検出部に対するセンサー移動体の移動量から日除けカバー２０の位置情報を検知することができる。
ＧＰＳ（Ｇｌｏｂａｌ  Ｐｏｓｉｔｉｏｎｉｎｇ  Ｓｙｓｔｅｍ）センサー４０３は、車両の現在位置情報、速度情報、進行方向情報、時刻情報等を検知可能なカーナビゲーションを適用することができる。
方位センサー４０４は、車両の方角、方位を測定可能なセンサーである。
時計４０５は標準電波を受信可能とし、自己修正機能を備えている。
カメラ４０６は、チャイルドシート本体１２に着座している乳幼児の様子を撮影可能なＣＣＤ（Ｃｈａｒｇｅ  Ｃｏｕｐｌｅｄ  Ｄｅｖｉｓｅ）である。
【００３１】
赤外線センサー４０７はセンサ素子で赤外線を受光して熱による素子温度の上昇に伴う電気的性質の変化を検知可能なセンサーである。赤外線センサー４０７は日光が照射されることにより温度変化を検知することができる。
音センサー４０８は、音圧による振動を検出可能なセンサーである。乳幼児の鳴き声等を検知することができる。
この他にも検知手段４０は、インターネット４０９に無線ＬＡＮなどを通じて接続し、交通情報、気象情報などを入手することができる。
ＯＢＤ（Ｏｎ−Ｂｏａｒｄ  Ｄｉａｇｎｏｓｔｉｃｓ）４１０は、車両の自己故障診断を行う車載コンピュータである。
本実施形態の検知手段４０は、上記センサーを１つ、あるいは２つ以上組み合わせた構成を採用し、日除けカバー２０の展開及び折り畳み動作の起点（トリガー）となる情報を取得している。
また検知手段４０は、少なくとも日除けカバー２０の展開及び折り畳み状態（例えば、日除けカバー位置センサー４０２を適用）もしくはチャイルドシート本体１２への日光の照射状態（例えば、照度センサー４０１を適用）のいずれかを検知可能とし、検知信号を状態信号として後述する操作手段１１０へ送信可能としている。
【００３２】
制御手段５０は、日除けカバー２０の展開及び折り畳み動作の制御処理を行うＣＰＵ（Ｃｅｎｔｒａｌ  Ｐｒｏｃｅｓｓｉｎｇ  Ｕｎｉｔ）である。制御手段５０は検知手段４０と駆動手段３０と有線又は無線を介して電気的に接続している。また本実施形態の制御手段５０はシート部１２の背部１３のクッション内部に取り付けている。
このような構成の制御手段５０は、検知手段４０からの検知信号に基づいて、日除けカバー２０の展開又は折り畳み動作を行う制御信号を駆動手段３０へ送信する。例えば、日除けカバー２０が折り畳んだ状態で、検知手段４０からチャイルドシート本体１２に日光が照射されている検知信号が入力されると、駆動手段５０へ日除けカバー２０を展開する制御信号を送信する。また、日除けカバー２０が展開した状態で、検知手段４０からチャイルドシート本体１２に日が陰っている検知信号が入力されると、駆動手段５０へ日除けカバー２０を折り畳む制御信号を送信する。    
【００３３】
また日除け付きチャイルドシート１０は、電源（バッテリー）を備えている。この他、電源供給用コードの端部に車両のシガーライターソケットに差し込み可能なプラグを設けて、車両から電源供給するように構成してもよい。
なお、座席の取付具にチャイルドシートのコネクタを接続して固定する国際標準規格ＩＳＯＦＩＸ方式によってチャイルドシートを座席に固定する場合には、チャイルドシートのコネクタを介して、座席の取付具から車両の電源供給を受けるように構成してもよい。
【００３４】
上記構成による日除け付きチャイルドシート１０によれば、運転中及び停車中であっても、日除けカバー２０の展開動作及び折り畳み動作を検知手段４０の検知信号に基づいて自動制御することができる。このため運転中の場合には、日差しが経時的に変化しても運転手がチャイルドシートの方を見る動作が必要なくなり、運転に集中して安全性を確保することができる。また、停車中に車両を離れた場合、チャイルドシート本体１２が日光によって過熱することがなくなり、再度の乗車時に乳幼児を直ちに着座させることができる。
また、日除けカバーに前述のシートを用いた場合には、このシートの表面に照度センサーを取り付け、裏面に乳幼児の顔を認識する顔認識センサーを取り付けた構成となる。このような構成の日除けカバーは、照度センサーで照射する日光を検知し、顔認識センサーで乳幼児の顔位置を認識して、日光を遮る位置にシートを移動させる駆動手段を取り付けると良い。
【００３５】
［日除け付きチャイルドシートの制御システム１００］
次に日除け付きチャイルドシートの制御システム１００について以下説明する。制御システム１００は、前記日除け付きチャイルドシート１０と、操作手段１１０を主な基本構成としている。
【００３６】
操作手段１１０は、制御手段５０と無線又は有線を介して電気的に接続し、制御手段５０へ実行信号を送信可能な操作端末である。操作手段１１０は、例えば運転手の運転を妨げることがないウェアラブルコンピュータ（スマートウォッチ）６２、携帯端末６４などを適用することができる。操作手段１１０から送信される実行信号は、例えば、日除けカバー２０の展開及び折り畳み動作、検知手段４０の検知信号に基づく自動制御などである。また操作手段１１０は、表示部６２ａ，６４ａを備えている。表示部６２ａ，６４ａは、少なくとも日除けカバー２０の展開及び折り畳み状態もしくはチャイルドシート本体１２への日光の照射状態（表示単位として例えばルクス）のいずれかを表示することができる。
【００３７】
［作用］
上記構成による本発明の日除け付きチャイルドシート及びその制御システムの作用について以下説明する。
日除け付きチャイルドシートの制御システムの自動制御は次のように行われる。
運転中、チャイルドシートに日光が照射されると、日除けカバー２０が折り畳んだ状態で、検知手段４０からチャイルドシート本体１２に日光が照射されている検知信号が制御手段５０へ入力される。制御手段５０は、駆動手段５０へ日除けカバー２０を展開する制御信号を送信する。これにより、日除けカバー２０が展開されてチャイルドシート本体１２に照射される日光を遮ることができる。
日除けカバー２０が展開した状態で、検知手段４０からチャイルドシート本体１２に日が陰っている検知信号が制御手段５０へ入力される。制御手段５０は、駆動手段３０へ日除けカバー２０を折り畳む制御信号を送信する。これにより、日除けカバー２０が折り畳まれて、例えばチャイルドシート本体１２に着座している乳幼児の様子を容易に確認することができる。
【００３８】
また、停車中にチャイルドシート本体１２へ日光が照射されて日除けカバー２０が折り畳んだ状態の場合、検知手段４０からチャイルドシート本体１２に日光が照射されている検知信号が制御手段５０へ入力される。制御手段５０は、駆動手段３０へ日除けカバー２０を展開する制御信号を送信する。これにより、日除けカバー２０が展開されてチャイルドシート本体１２に照射される日光を遮ることができる。
【００３９】
図５は操作手段にウェアラブルコンピュータを用いた操作画面の説明図である。図示のように操作手段にウェアラブルコンピュータ６２を用いた場合の表示部６２ａには、自動制御を実行するＡＵＴＯボタン６２１と、日除けカバーの展開動作を実行するＯＰＥＮボタン６２２、日除けカバーの折り畳み動作を実行するＣＬＯＳＥボタン６２３が表示されている。運転手は任意にＡＵＴＯボタン６２１、ＯＰＥＮボタン６２２、ＣＬＯＳＥボタン６２３を選択して、制御手段５０へ実行信号を送信できる。また表示部６２ａは、少なくとも日除けカバー２０の展開（ＯＰＥＮ）及び折り畳み状態（ＣＬＯＳＥ）もしくはチャイルドシート本体１２への日光の照射状態（表示単位として例えばルクス）のいずれかを表示することができる。
【００４０】
図６は操作手段に携帯端末を用いた操作画面の説明図である。図示のように操作手段に携帯端末６４を用いた場合の表示部６４ａには、自動制御を実行するＡＵＴＯボタン６４１、日除けカバーの展開動作を実行するＯＰＥＮボタン６４２、日除けカバーの折り畳み動作を実行するＣＬＯＳＥボタン６４３が表示されている。運転手は任意にＡＵＴＯボタン６４１、ＯＰＥＮボタン６４２、ＣＬＯＳＥボタン６４３を選択して、制御手段５０へ実行信号を送信できる。また表示部６４ａは、少なくとも日除けカバー２０の展開（ＯＰＥＮ）及び折り畳み状態（ＣＬＯＳＥ）もしくはチャイルドシート本体１２への日光の照射状態（表示単位として例えばルクス）のいずれかを表示することができる。
【００４１】
このような本発明の日除け付きチャイルドシートの制御システムによれば、運転手が運転中に、チャイルドシート内の乳幼児を見ることなく、手元で日除けカバーの展開又は折り畳み動作の操作を行える。また、チャイルドシート本体へ照射される日光の有無に係わらず、乳幼児の様子を知る際に運転手が容易に日除けカバーを折り畳む動作を自動で行うことができる。
【００４２】
［変形例］
図７は変形例の日除け付きチャイルドシートの構成概略図である。図示のように変形例の日除け付きチャイルドシート１０Ａは、チャイルドシート本体１２の正面視で左右二分割した構造の日除けカバー２００を採用している。具体的な構成は、チャイルドシート本体１２の右側で展開及び折り畳み可能な第１日除けカバー２１０と、チャイルドシート本体１２の左側で展開及び折り畳み可能な第２日除けカバー２２０と、第１及び第２日除けカバー２１０，２２０をそれぞれ展開及び折り畳み動作を行う第１及び第２駆動手段３１０，３２０と、第１及び第２日除けカバー２１０，２２０の展開及び折り畳み動作の起点（トリガー）となる情報を取得可能な第１検知手段４０ａ１，４０ｃ、第２検知手段４０ａ２,４０ｂを備えている。
【００４３】
このような構成の変形例の日除け付きチャイルドシート１０Ａは、運転中及び停車中であっても、日光が照射する窓ガラス側の日除けカバー２００のみの展開動作及び折り畳み動作を検知手段の検知信号に基づいて自動制御することができる。このため運転中の場合には、日差しが経時的に変化しても運転手がチャイルドシートの方を見る動作が必要なくなり、運転に集中して安全性を確保することができる。運転手側の日除けカバーは折り畳んだ状態であるため、運転手は容易にチャイルドシート本体１２に着座している乳幼児の様子を確認することができる。
また、停車中に車両を離れた場合、チャイルドシート本体１２が日光によって過熱することがなくなり、再度の乗車時に乳幼児を直ちに着座させることができる。
【産業上の利用可能性】
【００４４】
本発明の日除け付きチャイルドシート及びその制御システムは、チャイルドシートを座席に装着可能な車両の分野において特に産業上利用することができる。
【符号の説明】
【００４５】
１０，１０Ａ………日除け付きチャイルドシート、１２………チャイルドシート本体、１３………シート本体、１３ａ………背部、１３ｂ………座部、１４………基台、２０，２００………日除けカバー、２２………サポート部材、２４………カバー部材、３０………駆動手段、４０，４０ａ，４０ｂ，４０ｃ………検知手段、５０………制御手段、６２………ウェアラブルコンピュータ、６４………携帯端末、１００………制御システム、１１０………操作手段、２１０………第１日除けカバー、２２０………第２日除けカバー、３１０………第１駆動手段、３２０………第２駆動手段。
【図１】
2017081397.tif 000003
【図２】
2017081397.tif 000004
【図３】
2017081397.tif 000005
【図４】
2017081397.tif 000006
【図５】
2017081397.tif 000007
【図６】
2017081397.tif 000008
【図７】
2017081397.tif 000009